(57)【要約】【課題】装置本体の両面にマイクを設置せずとも、上下方向を含め撮像部の向いている方向の集音特性が良好な音声を得ることのできる撮像装置を提供する。【解決手段】装置本体部１１と撮像部１２とからなり、撮像部１２は撮影レンズ１４を有して装置本体部１１に回転自在に設けられたデジタルカメラ１０において、装置本体部１１の正面側にステレオマイク２５、撮像部１２の撮影レンズ設置面側にモノラルマイク２６を備える。そして、撮像部１２の回転位置を検出することにより、その回転位置に基づいてステレオマイク２５とモノラルマイク２６の音声入力を制御する。これにより、装置本体の両面にマイクを設置せずとも、上下方向を含め撮像部の向いている方向の集音特性が良好な音声を得ることができる。【選択図】      図１
2005286718.tif 000002
【特許請求の範囲】
【請求項１】
装置本体と撮像部とからなり、前記撮像部は撮影レンズを有して前記装置本体に回転自在に設けられた撮像装置において、
前記装置本体に設けられた第１の音声入力手段と、
前記撮像部に設けられた第２の音声入力手段と、
前記撮像部の回転位置を検出する回転位置検出手段と、
この回転位置検出手段によって検出された前記撮像部の回転位置に基づいて、前記第１の音声入力手段と前記第２の音声入力手段からの音声入力を制御する入力制御手段と
を具備したことを特徴とする撮像装置。
【請求項２】
装置本体と撮像部とからなり、前記撮像部は撮影レンズを有して前記装置本体に回転自在に設けられた撮像装置において、
前記装置本体の正面側に設けられたステレオマイクと、
前記撮像部の前記撮影レンズの設置面側に設けられたモノラルマイクと、
前記撮像部の回転位置を検出する回転位置検出手段と、
この回転位置検出手段によって検出された前記撮像部の回転位置に基づいて、前記ステレオマイクと前記モノラルマイクの音声入力を制御する入力制御手段と
を具備したことを特徴とする撮像装置。
【請求項３】
前記入力制御手段は、前記撮像部が所定の角度を基準にして前記装置本体の正面側に位置している場合に前記ステレオマイクを通じて音声を入力し、前記撮像部が前記装置本体の裏面側に位置している場合に前記モノラルマイクを通じて音声を入力するように制御することを特徴とする請求項２記載の撮像装置。
【請求項４】
前記入力制御手段は、前記ステレオマイクによる音声入力と前記モノラルマイクによる音声入力とをミックスするように制御するものであって、そのミックス比を前記撮像部の回転位置に応じて段階的に変更することを特徴とする請求項２または３に記載の撮像装置。
【請求項５】
前記入力制御手段は、前記ステレオマイクによる音声入力と前記モノラルマイクによる音声入力とをミックスするように制御するものであって、そのミックス比を前記撮像部の回転角度に応じて連続的に変更することを特徴とする請求項２または３に記載の撮像装置。
【請求項６】
前記入力制御手段は、前記撮像部の回転位置が所定の範囲内にあるときに、前記ステレオマイクまたは前記モノラルマイクのいずれか一方の音声のみを入力するように制御することを特徴とする請求項２乃至５のいずれかに記載の撮像装置。
【請求項７】
前記入力制御手段によって入力された音声データを出力する出力手段をさらに具備したことを特徴とする請求項２乃至６のいずれかに記載の撮像装置。
【請求項８】
前記出力手段は、無線または有線の通信手段であって、前記入力制御手段によって入力された音声データを通信により送信するものを含むことを特徴とする請求項７記載の撮像装置。
【請求項９】
前記入力制御手段によって入力された音声データを記録する記録手段をさらに具備したことを特徴とする請求項２乃至８のいずれかに記載の撮像装置。
【請求項１０】
装置本体と撮像部とからなり、前記撮像部は撮影レンズを有して前記装置本体に回転自在に設けられた撮像装置において、
前記装置本体の正面側に設けられた第１のモノラルマイクと、
前記撮像部の前記撮影レンズの設置面側に設けられた第２のモノラルマイクと、
前記撮像部の回転位置を検出する回転位置検出手段と、
この回転位置検出手段によって検出された前記撮像部の回転位置に基づいて、前記第１および第２のモノラルマイクの音声入力を制御する入力制御手段と
を具備したことを特徴とする撮像装置。
【請求項１１】
前記入力制御手段は、前記撮像部が所定の角度を基準にして前記装置本体の正面側に位置している場合に前記第１および第２のモノラルマイクの両方を通じて音声を入力し、前記撮像部が前記装置本体の裏面側に位置している場合に前記第２のモノラルマイクを通じて音声を入力するように制御することを特徴とする請求項１０記載の撮像装置。
【請求項１２】
前記入力制御手段は、前記第１のモノラルマイクによる音声入力と前記第２のモノラルマイクによる音声入力とをミックスするように制御するものであって、そのミックス比を前記撮像部の回転位置に応じて段階的に変更することを特徴とする請求項１０または１１に記載の撮像装置。
【請求項１３】
前記入力制御手段は、前記第１のモノラルマイクによる音声入力と前記第２のモノラルマイクによる音声入力とをミックスするように制御するものであって、そのミックス比を前記撮像部の回転角度に応じて連続的に変更することを特徴とする請求項１０または１１に記載の撮像装置。
【請求項１４】
前記入力制御手段は、前記撮像部の回転位置が所定の範囲内にあるときに、前記第１のモノラルマイクまたは前記第２のモノラルマイクのいずれか一方の音声のみを入力するように制御することを特徴とする請求項１０乃至１３のいずれかに記載の撮像装置。
【請求項１５】
前記入力制御手段によって入力された音声データを出力する出力手段をさらに具備したことを特徴とする請求項１０乃至１４のいずれかに記載の撮像装置。
【請求項１６】
前記出力手段は、無線または有線の通信手段であって、前記入力制御手段によって入力された音声データを通信により送信するものを含むことを特徴とする請求項１５記載の撮像装置。
【請求項１７】
前記入力制御手段によって入力された音声データを記録する記録手段をさらに具備したことを特徴とする請求項１０乃至１６のいずれかに記載の撮像装置。
【請求項１８】
装置本体と撮像部とからなり、前記撮像部は撮影レンズを有して前記装置本体に回転自在に設けられると共に、前記装置本体に第１の音声入力手段、前記撮像部に第２の音声入力手段が設けられた撮像装置に用いられる音声入力制御方法であって、
前記撮像部の回転位置を検出するステップと、
この検出された前記撮像部の回転位置に基づいて、前記第１の音声入力手段と前記第２の音声入力手段からの音声入力を制御するステップと
を備えたことを特徴とする音声入力制御方法。
【請求項１９】
装置本体と撮像部とからなり、前記撮像部は撮影レンズを有して前記装置本体に回転自在に設けられると共に、前記装置本体の正面側にステレオマイク、前記撮像部の前記撮影レンズの設置面側にモノラルマイクが設けられた撮像装置に用いられる音声入力制御方法であって、
前記撮像部の回転位置を検出するステップと、
この検出された前記撮像部の回転位置に基づいて、前記ステレオマイクと前記モノラルマイクの音声入力を制御するステップと
を備えたことを特徴とする音声入力制御方法。
【請求項２０】
装置本体と撮像部とからなり、前記撮像部は撮影レンズを有して前記装置本体に回転自在に設けられると共に、前記装置本体の正面側に第１のモノラルマイク、前記撮像部の前記撮影レンズの設置面側に第２のモノラルマイクが設けられた撮像装置に用いられる音声入力制御方法であって、
前記撮像部の回転位置を検出するステップと、
この検出された前記撮像部の回転位置に基づいて、前記第１および第２のモノラルマイクの音声入力を制御するステップと
を備えたことを特徴とする音声入力制御方法。
【請求項２１】
装置本体と撮像部とからなり、前記撮像部は撮影レンズを有して前記装置本体に回転自在に設けられると共に、前記装置本体に第１の音声入力手段、前記撮像部に第２の音声入力手段が設けられた撮像装置を制御するコンピュータによって実行されるプログラムであって、
前記コンピュータに、
前記撮像部の回転位置を検出する機能と、
この検出された前記撮像部の回転位置に基づいて、前記第１の音声入力手段と前記第２の音声入力手段の音声入力を制御する機能と
を実現させることを特徴とするプログラム。
【請求項２２】
装置本体と撮像部とからなり、前記撮像部は撮影レンズを有して前記装置本体に回転自在に設けられると共に、前記装置本体の正面側にステレオマイク、前記撮像部の前記撮影レンズの設置面側にモノラルマイクが設けられた撮像装置を制御するコンピュータによって実行されるプログラムであって、
前記コンピュータに、
前記撮像部の回転位置を検出する機能と、
この検出された前記撮像部の回転位置に基づいて、前記ステレオマイクと前記モノラルマイクの音声入力を制御する機能と
を実現させることを特徴とするプログラム。
【請求項２３】
装置本体と撮像部とからなり、前記撮像部は撮影レンズを有して前記装置本体に回転自在に設けられると共に、前記装置本体の正面側に第１のモノラルマイク、前記撮像部の前記撮影レンズの設置面側に第２のモノラルマイクが設けられた撮像装置を制御するコンピュータによって実行されるプログラムであって、
前記コンピュータに、
前記撮像部の回転位置を検出する機能と、
この検出された前記撮像部の回転位置に基づいて、前記第１および第２のモノラルマイクの音声入力を制御する機能と
を実現させることを特徴とするプログラム。
【発明の詳細な説明】
【技術分野】
【０００１】
本発明は、例えばデジタルカメラ等の撮像装置に係り、特に回転型の撮像部を備えた撮像装置と、この撮像装置に用いられる音声入力制御方法及びプログラムに関する。
【背景技術】
【０００２】
デジタルカメラ等の撮像装置では、例えば動画の撮影時などに画像の記録と同時に音声の記録が可能なものがある。通常、この種の撮像装置では、装置本体の正面側（撮影レンズが設置されている面）にマイクを配し、そのマイクを通じて音声録音するような構成になっている。
【０００３】
一方、装置本体と撮像部（撮影レンズを有する部分）とが別体に構成され、撮像部が装置本体に対して回転自在に取り付けられた撮像装置がある。このような回転型の撮像部を備えた撮像装置では、操作者が撮像部を自由に傾けて撮影を行うことができ、特に装置本体の裏面側つまりカメラを持つ操作者側に向けることで、所謂「自分撮り」の撮影が可能である。
【０００４】
ところが、録音を行う場合において、装置本体の正面側にマイクが設置されていると、撮像部を装置本体の裏面側（操作者側）に向けた状態ではマイクが操作者とは反対の方向に向くことになり、操作者の音声を良好に集音できないといった不具合が生じる。
【０００５】
従来、このような不具合を解消するものとして、装置本体の正面側に設置されたステレオマイクとは別に、その裏面側にモノラルマイクを操作者に向けて設けておき、自分撮り（対面撮影）を行う場合には前記モノラルマイクを通じて録音を行うようにしたものがある（例えば、特許文献１参照）。
【特許文献１】特開平１１−１３６５５３号公報
【発明の開示】
【発明が解決しようとする課題】
【０００６】
しかしながら、前記特許文献１のように、自分撮り（対面撮影）用に装置本体の裏面側にもマイクを設置した場合、装置本体の正面と裏面にそれぞれにマイクの設置スペースを必要とするため、装置の小型化に影響が生じてしまう問題がある。
【０００７】
また、装置本体の正面方向と裏面方向の２方向に対する集音特性は良好になるものの、例えば撮像部を真上に向けたり、真下に向けるなどして撮影する場合に、これらの方向の集音特性は悪くなるなどの問題もある。
【０００８】
本発明は前記のような点に鑑みなされたもので、装置本体の両面にマイクを設置せずとも、上下方向を含め撮像部の向いている方向の集音特性が良好な音声を得ることのできる撮像装置、この撮像装置に用いられる音声入力制御方法及びプログラムを提供することを目的とする。
【課題を解決するための手段】
【０００９】
本発明の請求項１に係る撮像装置は、装置本体と撮像部とからなり、前記撮像部は撮影レンズを有して前記装置本体に回転自在に設けられた撮像装置において、前記装置本体に設けられた第１の音声入力手段と、前記撮像部に設けられた第２の音声入力手段と、前記撮像部の回転位置を検出する回転位置検出手段と、この回転位置検出手段によって検出された前記撮像部の回転位置に基づいて、前記第１の音声入力手段と前記第２の音声入力手段からの音声入力を制御する入力制御手段とを具備したことを特徴とする。
【００１０】
このような構成によれば、装置本体側と撮像部側のそれぞれに設けられた音声入力手段からの音声入力を、回転可能な撮像部の回転位置に基づき、現在の装置本体と撮像部の状態にあわせた音声入力を得ることができる。
【００１１】
また、本発明の請求項２に係る撮像装置は、装置本体と撮像部とからなり、前記撮像部は撮影レンズを有して前記装置本体に回転自在に設けられた撮像装置において、前記装置本体の正面側に設けられたステレオマイクと、前記撮像部の前記撮影レンズの設置面側に設けられたモノラルマイクと、前記撮像部の回転位置を検出する回転位置検出手段と、この回転位置検出手段によって検出された前記撮像部の回転位置に基づいて、前記ステレオマイクと前記モノラルマイクの音声入力を制御する入力制御手段とを具備したことを特徴とする。
【００１２】
このような構成によれば、装置本体側にステレオマイク、撮像部側にモノラルマイクが備えられ、回転可能な撮像部の回転位置に基づいて、これらのマイクを通じて入力される音声が切り替えられる。これにより、装置本体の両面にマイクを設置せずとも、上下方向を含め撮像部の向いている方向の集音特性が良好な音声を得ることができる。
【００１３】
また、本発明の請求項３は、前記請求項２記載の撮像装置において、前記入力制御手段は、前記撮像部が所定の角度を基準にして前記装置本体の正面側に位置している場合に前記ステレオマイクを通じて音声を入力し、前記撮像部が前記装置本体の裏面側に位置している場合に前記モノラルマイクを通じて音声を入力するように制御することを特徴とする。
【００１４】
このような構成によれば、撮像部が所定の角度を基準にして装置本体の正面側に位置している場合には装置本体側のステレオマイクを通じて音声が入力され、装置本体の裏面側に位置している場合には撮像部側のモノラルマイクを通じて音声が入力される。これにより、撮像部がどのような向きにあっても、その撮像部の向きに合ったマイクの使用により、常に撮影方向の集音特性を良好にして音声を入力することができる。
【００１５】
また、本発明の請求項４は、前記請求項２または３に記載の撮像装置において、前記入力制御手段は、前記ステレオマイクによる音声入力と前記モノラルマイクによる音声入力とをミックスするように制御するものであって、そのミックス比を前記撮像部の回転位置に応じて段階的に変更することを特徴とする。
【００１６】
このような構成によれば、撮像部の位置に応じてステレオマイクを通じて入力される音声とモノラルマイクを通じて入力される音声のミックス比が段階的に変更される。これにより、撮影方向の集音特性をさらに良好することができる。
【００１７】
また、本発明の請求項５は、前記請求項２または３に記載の撮像装置において、前記入力制御手段は、前記ステレオマイクによる音声入力と前記モノラルマイクによる音声入力とをミックスするように制御するものであって、そのミックス比を前記撮像部の回転角度に応じて連続的に変更することを特徴とする。
【００１８】
このような構成によれば、撮像部の位置に応じて、ステレオマイクを通じて入力される音声とモノラルマイクを通じて入力される音声のミックス比が連続的に変更される。これにより、撮影方向の集音特性をさらに良好することができる。
【００１９】
また、本発明の請求項６は、前記請求項２乃至５のいずれかに記載の撮像装置において、前記入力制御手段は、前記撮像部の回転位置が所定の範囲内にあるときに、前記ステレオマイクまたは前記モノラルマイクのいずれか一方の音声のみを入力するように制御することを特徴とする。
【００２０】
このような構成によれば、撮像部の回転位置が所定の範囲内にあるときには、ステレオマイクまたはモノラルマイクのいずれか一方の音声のみを入力することができる。
【００２１】
また、本発明の請求項７は、前記請求項２乃至６のいずれかに記載の撮像装置において、前記入力制御手段によって入力された音声データを出力する出力手段をさらに具備したことを特徴とする。
【００２２】
このような構成によれば、ステレオマイクまたはモノラルマイクを通じて入力された音声データを例えばスピーカなどに出力することができる。
【００２３】
また、本発明の請求項８は、前記請求項７記載の撮像装置において、前記出力手段は、無線または有線の通信手段であって、前記入力制御手段によって入力された音声データを通信により送信するものを含むことを特徴とする。
【００２４】
このような構成によれば、ステレオマイクまたはモノラルマイクを通じて入力された音声データを無線または有線により外部に送ることができる。
【００２５】
また、本発明の請求項９は、請求項２乃至８のいずれかに記載の撮像装置において、前記入力制御手段によって入力された音声データを記録する記録手段をさらに具備したことを特徴とする。
【００２６】
このような構成によれば、ステレオマイクまたはモノラルマイクを通じて入力された音声データを記録することができる。
【００２７】
本発明の請求項１０に係る撮像装置は、装置本体と撮像部とからなり、前記撮像部は撮影レンズを有して前記装置本体に回転自在に設けられた撮像装置において、前記装置本体の正面側に設けられた第１のモノラルマイクと、前記撮像部の前記撮影レンズの設置面側に設けられた第２のモノラルマイクと、前記撮像部の回転位置を検出する回転位置検出手段と、この回転位置検出手段によって検出された前記撮像部の回転位置に基づいて、前記第１および第２のモノラルマイクの音声入力を制御する入力制御手段とを具備したことを特徴とする。
【００２８】
このような構成によれば、装置本体側に第１のモノラルマイク、撮像部側に第２のモノラルマイクが備えられ、回転可能な撮像部の回転位置に基づいて、これらのマイクを通じて入力される音声が切り替えられる。これにより、装置本体の両面にマイクを設置せずとも、上下方向を含め撮像部の向いている方向の集音特性が良好な音声を得ることができる。
【００２９】
また、本発明の請求項１１は、前記請求項１０記載の撮像装置において、前記入力制御手段は、前記撮像部が所定の角度を基準にして前記装置本体の正面側に位置している場合に前記第１および第２のモノラルマイクの両方を通じて音声を入力し、前記撮像部が前記装置本体の裏面側に位置している場合に前記第２のモノラルマイクを通じて音声を入力するように制御することを特徴とする。
【００３０】
このような構成によれば、撮像部が所定の角度を基準にして装置本体の正面側に位置している場合には装置本体側の第１のモノラルマイクおよび撮像部側の第２のモノラルマイクを通じて音声が入力され、装置本体の裏面側に位置している場合には撮像部側の第２のモノラルマイクを通じて音声が入力される。これにより、撮像部がどのような向きにあっても、その撮像部の向きに合ったマイクの使用により、常に撮影方向の集音特性を良好にして音声を入力することができる。
【００３１】
また、本発明の請求項１２は、前記請求項１０または１１に記載の撮像装置において、前記入力制御手段は、前記第１のモノラルマイクによる音声入力と前記第２のモノラルマイクによる音声入力とをミックスするように制御するものであって、そのミックス比を前記撮像部の回転位置に応じて段階的に変更することを特徴とする。
【００３２】
このような構成によれば、撮像部の位置に応じて第１のモノラルマイクを通じて入力される音声と第２のモノラルマイクを通じて入力される音声のミックス比が段階的に変更すされる。これにより、撮影方向の集音特性をさらに良好することができる。
【００３３】
また、本発明の請求項１３は、前記請求項１０または１１に記載の撮像装置において、前記入力制御手段は、前記第１のモノラルマイクによる音声入力と前記第２のモノラルマイクによる音声入力とをミックスするように制御するものであって、そのミックス比を前記撮像部の回転角度に応じて連続的に変更することを特徴とする。
【００３４】
このような構成によれば、撮像部の位置に応じて第１のモノラルマイクを通じて入力される音声と第２のモノラルマイクを通じて入力される音声のミックス比が連続的に変更される。これにより、撮影方向の集音特性をさらに良好することができる。
【００３５】
また、本発明の請求項１４は、前記請求項１０乃至１３のいずれかに記載の撮像装置において、前記入力制御手段は、前記撮像部の回転位置が所定の範囲内にあるときに、前記第１のモノラルマイクまたは前記第２のモノラルマイクのいずれか一方の音声のみを入力するように制御することを特徴とする。
【００３６】
このような構成によれば、撮像部の回転位置が所定の範囲内にあるときには、第１のモノラルマイクまたは第２のモノラルマイクのいずれか一方の音声のみを入力することができる。
【００３７】
また、本発明の請求項１５は、前記請求項１０乃至１４のいずれかに記載の撮像装置において、前記入力制御手段によって入力された音声データを出力する出力手段をさらに具備したことを特徴とする。
【００３８】
このような構成によれば、第１のモノラルマイクまたは第２のモノラルマイクを通じて入力された音声データを例えばスピーカなどに出力することができる。
【００３９】
また、本発明の請求項１６は、前記請求項１５記載の撮像装置において、前記出力手段は、無線または有線の通信手段であって、前記入力制御手段によって入力された音声データを通信により送信するものを含むことを特徴とする。
【００４０】
このような構成によれば、第１のモノラルマイクまたは第２のモノラルマイクを通じて入力された音声データを無線または有線により外部に送ることができる。
【００４１】
また、本発明の請求項１７は、前記請求項１０乃至１６のいずれかに記載の撮像装置において、前記入力制御手段によって入力された音声データを記録する記録手段をさらに具備したことを特徴とする。
【００４２】
このような構成によれば、第１のモノラルマイクまたは第２のモノラルマイクを通じて入力された音声データを記録することができる。
【００４３】
本発明の請求項１８に係る音声入力制御方法は、装置本体と撮像部とからなり、前記撮像部は撮影レンズを有して前記装置本体に回転自在に設けられると共に、前記装置本体に第１の音声入力手段、前記撮像部に第２の音声入力手段が設けられた撮像装置に用いられる音声入力制御方法であって、前記撮像部の回転位置を検出するステップと、この検出された前記撮像部の回転位置に基づいて、前記第１の音声入力手段と前記第２の音声入力手段からの音声入力を制御するステップとを備えたことを特徴とする。
【００４４】
このような音声入力制御方法によれば、前記各ステップに従った処理を実行することにより、前記請求項１記載の発明と同様の作用効果が奏せられる。
【００４５】
本発明の請求項１９に係る音声入力制御方法は、装置本体と撮像部とからなり、前記撮像部は撮影レンズを有して前記装置本体に回転自在に設けられると共に、前記装置本体の正面側にステレオマイク、前記撮像部の前記撮影レンズの設置面側にモノラルマイクが設けられた撮像装置に用いられる音声入力制御方法であって、前記撮像部の回転位置を検出するステップと、この検出された前記撮像部の回転位置に基づいて、前記ステレオマイクと前記モノラルマイクの音声入力を制御するステップとを備えたことを特徴とする。
【００４６】
このような音声入力制御方法によれば、前記各ステップに従った処理を実行することにより、前記請求項２記載の発明と同様の作用効果が奏せられる。
【００４７】
本発明の請求項２０に係る音声入力制御方法は、装置本体と撮像部とからなり、前記撮像部は撮影レンズを有して前記装置本体に回転自在に設けられると共に、前記装置本体の正面側に第１のモノラルマイク、前記撮像部の前記撮影レンズの設置面側に第２のモノラルマイクが設けられた撮像装置に用いられる音声入力制御方法であって、前記撮像部の回転位置を検出するステップと、この検出された前記撮像部の回転位置に基づいて、前記第１および第２のモノラルマイクの音声入力を制御するステップとを備えたことを特徴とする。
【００４８】
このような音声入力制御方法によれば、前記各ステップに従った処理を実行することにより、前記請求項１０記載の発明と同様の作用効果が奏せられる。
【００４９】
本発明の請求項２１に係るプログラムは、装置本体と撮像部とからなり、前記撮像部は撮影レンズを有して前記装置本体に回転自在に設けられると共に、前記装置本体に第１の音声入力手段、前記撮像部に第２の音声入力手段が設けられた撮像装置を制御するコンピュータによって実行されるプログラムであって、前記コンピュータに、前記撮像部の回転位置を検出する機能と、この検出された前記撮像部の回転位置に基づいて、前記第１の音声入力手段と前記第２の音声入力手段の音声入力を制御する機能とを実現させることを特徴とする。
【００５０】
したがって、コンピュータが前記各機能を実現するためのプログラムを実行することにより、前記請求項１記載の発明と同様の作用効果が奏せられる。
【００５１】
本発明の請求項２２に係るプログラムは、装置本体と撮像部とからなり、前記撮像部は撮影レンズを有して前記装置本体に回転自在に設けられると共に、前記装置本体の正面側にステレオマイク、前記撮像部の前記撮影レンズの設置面側にモノラルマイクが設けられた撮像装置を制御するコンピュータによって実行されるプログラムであって、前記コンピュータに、前記撮像部の回転位置を検出する機能と、この検出された前記撮像部の回転位置に基づいて、前記ステレオマイクと前記モノラルマイクの音声入力を制御する機能とを実現させることを特徴とする。
【００５２】
したがって、コンピュータが前記各機能を実現するためのプログラムを実行することにより、前記請求項２記載の発明と同様の作用効果が奏せられる。
【００５３】
本発明の請求項２３に係るプログラムは、装置本体と撮像部とからなり、前記撮像部は撮影レンズを有して前記装置本体に回転自在に設けられると共に、前記装置本体の正面側に第１のモノラルマイク、前記撮像部の前記撮影レンズの設置面側に第２のモノラルマイクが設けられた撮像装置を制御するコンピュータによって実行されるプログラムであって、前記コンピュータに、前記撮像部の回転位置を検出する機能と、この検出された前記撮像部の回転位置に基づいて、前記第１および第２のモノラルマイクの音声入力を制御する機能とを実現させることを特徴とする。
【００５４】
したがって、コンピュータが前記各機能を実現するためのプログラムを実行することにより、前記請求項１０記載の発明と同様の作用効果が奏せられる。
【発明の効果】
【００５５】
本発明によれば、装置本体側にステレオマイク、撮像部側にモノラルマイクを設けて、撮影レンズの回転位置に応じて両者のマイクの音声入力を制御するようにしたことで、装置本体の両面にマイクを設置せずとも、上下方向を含め撮像部の向いている方向の集音特性が良好な音声を得ることができる。
【００５６】
また、装置本体側と撮像部側のそれぞれにモノラルマイクを設けて、撮影レンズの回転位置に応じて両者のマイクの音声入力を制御することでも、前記同様に、装置本体の両面にマイクを設置せずとも、上下方向を含め撮像部の向いている方向の集音特性が良好な音声を得ることができる。
【発明を実施するための最良の形態】
【００５７】
以下、図面を参照して本発明の実施形態を説明する。
【００５８】
（第１の実施形態）
図１および図２は本発明の第１の実施形態に係る撮像装置としてデジタルカメラを例にした場合の外観構成を示す図であり、図１は正面側の構成、図２は裏面側の構成を示す図である。なお、ここで言う「正面側」とは操作者とは反対側を示し、「裏面側」とは操作者側を示す。
【００５９】
このデジタルカメラ１０は、装置本体部１１と撮像部１２とが別体で構成されており、撮像部１２は装置本体部１１の側部に回転機構１３を介して回転自在に取り付けられている。撮像部１２は、撮影レンズ１４を通して被写体に対する撮影を行う部分であり、回転機構１３を介して装置本体部１１の前後方向に回転させることで、任意のアングルで撮影可能な構成になっている。
【００６０】
図１は撮像部１２を装置本体部１１の正面位置に向けた状態を示しており、この状態では正面側の被写体に対する通常の撮影を行うことになる。図２は撮像部１２を装置本体部１１の裏面位置に向けた状態を示しており、この状態では所謂「自分撮り」と呼ばれている対面撮影を行うことができる。
【００６１】
一方、装置本体部１１は、主として撮影動作を操作するための部分であり、その上部の一端側（操作者から見て右側）に、電源のオン／オフ操作するための電源キー１５や、撮影タイミングを指示するためのシャッタキー１６を有する。
【００６２】
また、この装置本体部１１の正面には、撮影対象となる被写体を確認するための光学ファインダ窓１７や、ラバーグリップ１８などが設けられている。ラバーグリップ１８は、操作者が撮影時に装置本体部１１を右手で筐体右側面側から把持した場合に右手中指、薬指、小指が確実に該筐体を把持できるように配設されたゴム製の帯状突起である。
【００６３】
また、装置本体部１１の裏面には、モードスイッチ１９、メニューキー２０、十字キー２１、セットキー２２、光学ファインダ２３、表示部２４などが設けられている。
【００６４】
モードスイッチ１９は、例えばスライドキースイッチにより構成され、基本モードである記録モード「Ｒ」と再生モード「Ｐ」を切り換えるためのものである。前記記録モード「Ｒ」には、静止画モード「Ｒ１」、動画モード「Ｒ２」が含まれる。静止画モード「Ｒ１」は静止画の撮影を行うためのモード、動画モード「Ｒ２」は動画の撮影を行うためのモードである。
【００６５】
前記シャッタキー１６は、これらのモード「Ｒ１」、「Ｒ２」に共通に使用される。すなわち、静止画モード「Ｒ１」では、シャッタキー１６が押下されたときのタイミングで静止画の撮影が行われる。動画モード「Ｒ２」では、シャッタキー１６が押下されたときのタイミングで動画の撮影が開始され、シャッタキー１６が再度押下されたときにその動画の撮影が終了する。
【００６６】
メニューキー２０は、各種メニュー項目等を選択させる際に操作する。十字キー２１は、上下左右各方向へのカーソル移動用のキーが一体に形成されたものであり、表示されているメニュー項目等を移動させる際に操作する。セットキー２２は、前記十字キー２１の中心位置に配置され、その時点で選択されているメニュー項目内容等を設定するために操作する。
【００６７】
表示部２４は、バックライト付きのカラー液晶パネルで構成されるもので、撮影時には電子ファインダとしてスルー画像のモニタ表示を行う一方で、再生時には再生対象として選択された画像等を表示する。
【００６８】
なお、撮影時において、この表示部２４にモニタ表示されるスルー画像は、撮像部１２の回転位置に応じて上下逆に表示される。つまり、図１のように撮像部１２が正面に向けられている場合には、撮影レンズ１４を通して得られるスルー画像がそのまま表示部２４にモニタ表示されるが、図２のように撮像部１２が裏面に向けられている場合には、撮影レンズ１４を通して得られるスルー画像が上下逆に変換されて表示される。この上下逆の表示切り替えは、例えば撮像部１２が正面位置にある状態から前後に９０度回転させた時点で行われる。
【００６９】
また、図示はしないがデジタルカメラ１０の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられる。
【００７０】
ここで、第１の実施形態において、このデジタルカメラ１０は、録音用のマイクとしてステレオマイク２５とモノラルマイク２６を備えている。ステレオマイク２５は音声信号を右信号と左信号に分けてステレオ入力するためのマイクであり、装置本体部１１の正面の上側に設けられている。これに対し、モノラルマイク２６は音声信号を右、左共通にモノラル入力するためのマイクである。このモノラルマイク２６は、撮像部１２の撮影レンズ設置面の下側に設けられており、撮像部１２と共に同じ方向に回転する。
【００７１】
また、２７はスピーカであり、装置本体部１１の裏面側に設けられ、前記ステレオマイク２５またはモノラルマイク２６を通じて録音された音声データを再生出力する。
【００７２】
図３はデジタルカメラ１０の電子回路構成を示すブロック図である。
【００７３】
このデジタルカメラ１０には、前記撮影レンズ１４を構成するレンズ光学系３２がモータ３１の駆動により光軸方向に所定の範囲内で移動可能に設けられており、その光軸後方に撮像素子であるＣＣＤ３３が配設されている。このＣＣＤ３３は、撮影レンズ１４を通過する光を受光し、その受光量に応じた画像データを取得する。
【００７４】
基本モードである記録モード時において、ＣＣＤ３３がタイミング発生器（ＴＧ）３４、ドライバ３５によって走査駆動され、一定周期毎に結像した光像に対応する光電変換出力を１画面分出力する。
【００７５】
このＣＣＤ３３の光電変換出力は、アナログ値の信号の状態でＲＧＢの各原色成分毎に適宜ゲイン調整された後に、サンプルホールド回路３６でサンプルホールドされ、Ａ／Ｄ変換器３７でデジタルデータに変換される。そして、カラープロセス回路３８において、画素補間処理およびγ補正処理を含むカラープロセス処理が行われて、デジタル値の輝度信号Ｙおよび色差信号Ｃｂ，Ｃｒが生成され、ＤＭＡ（Ｄｉｒｅｃｔ  Ｍｅｍｏｒｙ  Ａｃｃｅｓｓ）コントローラ３９に出力される。
【００７６】
ＤＭＡコントローラ３９は、カラープロセス回路３８の出力する輝度信号Ｙおよび色差信号Ｃｂ，Ｃｒを、同じくカラープロセス回路３８からの複合同期信号、メモリ書込みイネーブル信号、およびクロック信号を用いて一度ＤＭＡコントローラ３９内部のバッファに書込み、ＤＲＡＭインタフェース（Ｉ／Ｆ）３１を介してバッファメモリとして使用されるＤＲＡＭ４１にＤＭＡ転送を行う。
【００７７】
制御部４２は、ＣＰＵと、このＣＰＵで実行されるプログラムを記憶したＲＯＭ、そして、ワークメモリとして使用されるＲＡＭなどを含むマイクロコンピュータにより構成される。
【００７８】
この制御部４２は、デジタルカメラ１０全体の制御動作を司り、前記輝度および色差信号のＤＲＡＭ４１へのＤＭＡ転送終了後に、この輝度および色差信号をＤＲＡＭインタフェース４０を介してＤＲＡＭ４１より読出し、ＶＲＡＭコントローラ４３を介してＶＲＡＭ４４に書き込む。
【００７９】
デジタルビデオエンコーダ４５は、前記輝度および色差信号をＶＲＡＭコントローラ４３を介してＶＲＡＭ４４より定期的に読出し、これらのデータを元にビデオ信号を発生して表示部２４に出力する。
【００８０】
この表示部２４は、上述した如く撮影時にはモニタ表示部（電子ファインダ）として機能するもので、デジタルビデオエンコーダ４５からのビデオ信号に基づいた表示を行うことで、その時点でＶＲＡＭコントローラ４３から取込んでいる画像情報に基づく画像をリアルタイムに表示することとなる。
【００８１】
このように、表示部２４にその時点での画像がモニタ画像としてリアルタイムに表示されている状態で、例えば静止画撮影を行いたいタイミングでシャッタキー１６を押下操作すると、トリガ信号が発生する。
【００８２】
制御部４２は、このトリガ信号に応じて、その時点でＣＣＤ３３から取込んでいる１画面分の輝度および色差信号のＤＲＡＭ４１へのＤＭＡ転送の終了後、直ちにＣＣＤ３３からのＤＲＡＭ４１への経路を停止し、記録保存の状態に遷移する。
【００８３】
この記録保存の状態では、制御部４２がＤＲＡＭ４１に書き込まれている１フレーム分の輝度および色差信号をＤＲＡＭインタフェース４０を介してＹ，Ｃｂ，Ｃｒの各コンポーネント毎に縦８画素×横８画素の基本ブロックと呼称される単位で読み出して、画像処理部４７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書込み、この画像処理部４７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００８４】
そして、得た符号データを１画像のデータファイルとして該画像処理部４７から読出して記録用のメモリ４８に書き込む。このメモリ４８としては、予め本体に内蔵されたメモリの他に、記録媒体として着脱自在に装着されるメモリカードなどを含む。１フレーム分の輝度および色差信号の圧縮処理およびメモリ４８への全圧縮データの書込み終了に伴って、制御部４２はＣＣＤ３３からＤＲＡＭ４１への経路を再び起動する。
【００８５】
また、制御部４２には、キー入力部４６、ＵＳＢインタフェース（Ｉ／Ｆ）４９が接続される。キー入力部４６は、上述したシャッタキー１６の他に、前記電源キー１５、モードスイッチ１９、メニューキー２０、十字キー２１およびセットキー２２等から構成され、それらのキー操作に伴う信号は直接制御部４２へ送出される。ＵＳＢインタフェース４９は、ＵＳＢコネクタを介して有線接続されるパーソナルコンピュータ等の他の情報端末装置との間で画像データその他の送受を行う場合の通信制御を行う。
【００８６】
また、静止画像ではなく動画像の撮影時においては、シャッタキー１６が押下操作されたときに、上述した画像処理部４７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）やｍｏｔｉｏｎ−ＪＰＥＧなどの手法により撮影動画をデータ圧縮し、この撮影動画データをメモリ４８へ記録する。そして、再度シャッタキー１６が操作されると、動画データの記録を終了する。
【００８７】
一方、基本モードである再生モード時には、制御部４２がメモリ４８に記録されている画像データを選択的に読出し、画像処理部４７で記録モード時にデータ圧縮した手順と全く逆の手順で圧縮されている画像データを伸長する。そして、この伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、表示部２４で再生出力させる。
【００８８】
選択した画像データが静止画像ではなく動画像であった場合には、その選択した動画像ファイルを構成するＭＰＥＧ動画データの再生を実行し、すべての動画像データの再生を終了した時点で、例えば、次に再生の指示がなされるまで先頭に位置する静止画像データを表示するなどを行う。
【００８９】
また、このデジタルカメラ１０には、上述したステレオマイク２５、モノラルマイク２６およびスピーカ２７に対する音声データの入出力処理を行うための音声処理部５０、撮像部１２の回転位置を検出するための回転位置検出部５１が備えられている。回転位置検出部５１は、例えば撮像部１２の回転機構１３に設置されており、撮像部１２の回転位置を機械的あるいは電気的に検出する。この回転位置検出部５１によって検出された撮像部１２の回転位置を示す信号は、制御部４２に与えられる。
【００９０】
その他、特に図示しないが、例えば携帯時の電源として用いられるバッテリとそのバッテリの電圧供給制御部や、ストロボとそのストロボを発光駆動するためのストロボ駆動部などが備えられる。
【００９１】
以下に、第１の実施形態におけるデジタルカメラ１０の録音動作について詳しく説明する。
【００９２】
今、図４（ａ）、（ｂ）に示すように、撮影レンズ１４を有する撮像部１２が装置本体部１１の前後にそれぞれ１８０度回転可能であるものとする。
【００９３】
図４（ａ）は撮像部１２の上部を装置本体部１１の裏面側に倒すようにして後方向に４５度ずつ回転させた場合の各回転位置の状態を示している。ここでは、撮像部１２が装置本体部１１の正面位置にある状態をＰ１、その正面位置から４５度回転させた位置をＰ２、９０度回転させた位置をＰ３、１３５度回転させた位置をＰ４、そして、１８０度回転させて装置本体部１１の裏面位置にある状態をＰ５としている。
【００９４】
また、図４（ｂ）は撮像部１２の上部を装置本体部１１の正面側に倒すようにして前方向に−４５度ずつ回転させた場合の各回転位置の状態を示している。ここでは、撮像部１２が装置本体部１１の正面位置にある状態をＱ１（＝Ｐ１）、その正面位置から−４５度回転させた位置をＱ２、−９０度回転させた位置をＱ３、−１３５度回転させた位置をＱ４、そして、−１８０度回転させて装置本体部１１の裏面位置にある状態をＱ５（＝Ｐ５）としている。
【００９５】
図５は第１の実施形態におけるデジタルカメラ１０の動画撮影時の処理動作を示すフローチャートである。なお、このフローチャートで示される各処理は、デジタルカメラ１０に搭載されたマイクロコンピュータである制御部４２がプログラムを読み込むことにより実行される。
【００９６】
まず、操作者が図２に示したモードスイッチ１０の操作により動画モードを設定した状態で（ステップＡ１１）、シャッタキー９を押下すると（ステップＡ１２のＹｅｓ）、制御部３２はシャッタキー９が再度押下されるまでの間、動画の撮影処理を実行する（ステップＡ１３）。なお、このときの撮影処理の動作については図３で既に説明しているため、ここでは詳しい説明を省略するものとする。
【００９７】
ここで、例えばメニューキー２０の操作などにより録音機能が設定されている場合において、制御部４２は、回転位置検出部５１により撮像部１２の回転位置を検出する（ステップＡ１４）。そして、制御部４２は、この撮像部１２の回転位置に基づいて、装置本体部１１側のステレオマイク２５と撮像部１２側のモノラルマイク２６を適宜切り替えて音声入力するように音声処理部５０を制御する（ステップＡ１５）。この音声処理部５０に入力されたステレオマイク２５またはモノラルマイク２６の音声信号は、デジタルデータに変換された後、メモリ４８内の所定の領域に記録（録音）される（ステップＡ１６）。
【００９８】
この場合、撮像部１２が装置本体部１１の正面位置にあるときには（つまり、通常撮影時）、ステレオマイク２５を用いてステレオ録音を行い、図２に示すように、撮像部１２が装置本体部１１の裏面位置にあるときには（つまり、自分撮りと呼ばれる対面撮影時）、モノラルマイク２６を用いてモノラル録音を行う。さらに、撮像部１２が装置本体部１１の正面位置と裏面位置との間にある場合には、撮影方向つまり装置本体部１１の撮影レンズ１４の向いている方向に合わせて集音特性が良好な方のマイクを使用する。
【００９９】
具体的に説明すると、図６のようになる。
【０１００】
図６は撮像部１２の回転位置ＰＳに対するステレオマイク２５とモノラルマイク２６の切り替え動作を示したものである。実際には、このような切り替え動作がプログラムされているか、あるいは、テーブル化されて図示せぬＲＡＭなどに記憶され、制御部４２によって都度参照される。
【０１０１】
まず、撮像部１２がＰＳ＝Ｐ１であった場合、つまり、撮像部１２が装置本体部１１の正面位置にあった場合には、ステレオマイク２５をＯＮ、モノラルマイク２６をＯＦＦする。これにより、ステレオマイク２５を通じて音声信号が入力される。この入力された音声信号は音声処理部５０にてデジタルデータに変換された後、メモリ４８にステレオ録音される。
【０１０２】
また、図４（ａ）に示すように、撮像部１２が後方に回転されて、Ｐ１＜ＰＳ＜Ｐ３の位置にあった場合、つまり、撮像部１２が装置本体部１１の正面位置とその正面位置から後方に９０度回転させた位置との間にあった場合にも、そのままステレオマイク２５をＯＮ、モノラルマイク２６をＯＦＦすることにより、ステレオマイク２５を通じて音声信号を入力し、これをデジタルデータに変換してメモリ４８にステレオ録音する。
【０１０３】
また、撮像部１２がさらに後方向に回転されて、Ｐ３≦ＰＳ＜Ｐ５の位置にあった場合、つまり、撮像部１２が９０度位置から１８０度位置との間にあった場合には、ステレオマイク２５をＯＦＦ、モノラルマイク２６をＯＮする。すなわち、撮像部１２が９０度以上傾けられた状態では、ステレオマイク２５からモノラルマイク２６に切り替える。これにより、モノラルマイク２６を通じて音声信号が入力され、その入力された音声信号が音声処理部５０にてデジタルデータに変換された後、メモリ４８にモノラル録音される。
【０１０４】
また、ＰＳ＝Ｐ５であった場合、つまり、撮像部１２が装置本体部１１の裏面位置にあった場合にも、ステレオマイク２５をＯＦＦ、モノラルマイク２６をＯＮすることにより、モノラルマイク２６を通じて音声信号を入力し、これをデジタルデータに変換してメモリ４８にモノラル録音する。
【０１０５】
なお、図４（ｂ）に示すように、撮像部１２を装置本体部１１の前方に回転させた場合についても同様であり、そのときの回転位置ＰＳに応じてステレオマイク２５とモノラルマイク２６を切り替えて録音する。
【０１０６】
すなわち、撮像部１２がＰＳ＝Ｑ１（正面位置）の場合や、Ｑ１＜ＰＳ＜Ｑ３（正面位置と−９０度位置との間）の場合には、ステレオマイク２５をＯＮ、モノラルマイク２６をＯＦＦすることにより、ステレオマイク２５を通じて音声信号を入力し、これをデジタルデータに変換してメモリ４８にステレオ録音する。
【０１０７】
また、撮像部１２がＱ３≦ＰＳ＜Ｑ５（−９０度位置と裏面位置との間）の場合やＰＳ＝Ｑ５（裏面位置）の場合には、ステレオマイク２５をＯＦＦ、モノラルマイク２６をＯＮすることにより、モノラルマイク２６を通じて音声信号を入力し、これをデジタルデータに変換してメモリ４８にモノラル録音する。
【０１０８】
以後同様にして、動画撮影時の回転位置ＰＳの位置に応じて装置本体部１１側のステレオマイク２５と撮像部１２側のモノラルマイク２６が適宜切り替えられて録音処理が行われることになる。そして、例えばシャッタキー１６が再押下されるなど、動画撮影の終了が明示的に指示されると（ステップＡ１７のＹｅｓ）、ここでの処理が終了する。
【０１０９】
このように、装置本体部１１側のステレオマイク２５とは別に撮像部１２側にモノラルマイク２６を設けておくことで、撮像部１２がどのように向きにあっても、常にそのときの撮影方向にモノラルマイク２６を向けておくことができる。したがって、撮像部１２を装置本体部１１に対して９０度以上傾けて撮影するような場合など、装置本体部１１側のステレオマイク２５では良好に集音できないような場合において、撮像部１２側のモノラルマイク２６に切り替えることで、撮影方向の集音特性が良好な音声を得ることができる。
【０１１０】
なお、装置本体部１１側のステレオマイク２５をなくして、撮像部１２側のモノラルマイク２６だけで録音を行うような構成も考えられる。ただし、このような構成では、常にモノラル録音になってしまうため、録音性能が低くなる問題があり、あまり好ましくない。
【０１１１】
また、撮像部１２側にモノラルマイク２６に代えてステレオマイクを設置し、このステレオマイクだけで録音を行うような構成も考えられる。しかしながら、ステレオマイクはモノラルマイクよりも比較的大きいため、撮像部１２側にその設置スペースが必要となり、撮像部１２のサイズが大きくなって装置の小型化に影響が出てしまうなどの問題がある。
【０１１２】
また、前記第１の実施形態では、撮像部１２を装置本体部１１の正面位置から前後方向に９０度以上傾けたときにステレオマイク２５からモノラルマイク２６への切り替えを行うようにしたが、もっと裏面に近い位置、例えば１３５度付近（Ｐ４またはＱ４の回転位置）でステレオマイク２５からモノラルマイク２６への切り替えを行うようにしても良い。
【０１１３】
また、このようなマイクの切り替えタイミングは予め固定的に決められていても良いし、ユーザがメニューキー２０の操作により表示される図示せぬ設定画面等を通じて任意に設定できるようにしても良い。
【０１１４】
また、ステレオマイク２５とモノラルマイク２６の各音声信号をミックスし、そのときのミックス比を撮像部１２の回転位置ＰＳに応じて変更するような構成も可能である。図７にその具体例を示す。
【０１１５】
図７の例では、ＰＳ＝Ｐ１であった場合、つまり、図４（ａ）に示すように、撮像部１２が装置本体部１１の正面位置にあった場合には、ステレオマイク２５のみを使用して録音する。この場合、音声信号の右信号をＯＵＴ（Ｒ）、左信号をＯＵＴ（Ｌ）とすると、
ＯＵＴ（Ｒ）＝ステレオマイク（Ｒ）
ＯＵＴ（Ｌ）＝ステレオマイク（Ｌ）
となる。なお、ステレオマイク（Ｒ）、ステレオマイク（Ｌ）はステレオマイク２５の右信号と左信号を表している。
【０１１６】
また、Ｐ１＜ＰＳ＜Ｐ３であった場合、つまり、図４（ａ）に示すように、撮像部１２が装置本体部１１の正面位置とその正面位置から後方に９０度回転させた位置との間にあった場合には、ステレオマイク２５とモノラルマイク２６の入力レベルをそれぞれ１／２にして録音する。この場合には、
ＯＵＴ（Ｒ）＝１／２・ステレオマイク（Ｒ）＋１／２・モノラルマイク
ＯＵＴ（Ｌ）＝１／２・ステレオマイク（Ｌ）＋１／２・モノラルマイク
となる。
【０１１７】
また、Ｐ３≦ＰＳ＜Ｐ５であった場合、つまり、図４（ａ）に示すように、撮像部１２が９０度位置から１８０度位置との間にあった場合には、ステレオマイク２５の入力レベルを１／４、モノラルマイク２６の入力レベルを３／４にして録音する。この場合には、
ＯＵＴ（Ｒ）＝１／４・ステレオマイク（Ｒ）＋３／４・モノラルマイク
ＯＵＴ（Ｌ）＝１／４・ステレオマイク（Ｌ）＋３／４・モノラルマイク
となる。
【０１１８】
また、ＰＳ＝Ｐ５であった場合、つまり、図４（ａ）に示すように、撮像部１２が装置本体部１１の裏面位置にあった場合には、モノラルマイク２６のみを使用して録音する。この場合には、
ＯＵＴ（Ｒ）＝モノラルマイク
ＯＵＴ（Ｌ）＝モノラルマイク
となる。
【０１１９】
また、図４（ｂ）に示すように、撮像部１２を前方に回転させた場合についても同様であり、撮像部１２の回転位置ＰＳに応じてステレオマイク２５とモノラルマイク２６の各音声信号がミックスされて録音される。
【０１２０】
さらに、このようなステレオマイク２５とモノラルマイク２６のミックス比は予め固定的に決められていても良いし、ユーザがメニューキー２０の操作により表示される図示せぬ設定画面等を通じて任意に設定できるようにしても良い。
【０１２１】
また、ステレオマイク２５とモノラルマイク２６の各音声信号をミックスする場合に、前記の例のように撮像部１２の回転位置ＰＳに応じて段階的に変更する方法の他に、撮像部１２の回転位置ＰＳに応じて連続的に変更することでも良い。
【０１２２】
また、回転位置ＰＳの値が所定の範囲内にあるときには、ステレオマイク２５とモノラルマイク２６の一方からの入力音声信号を遮断し、他方の入力音声信号のみを得るような制御を行わせることとしても良い。
【０１２３】
また、前記実施形態では、制御部４２によって選択あるいはミックスされた、ステレオマイク２５またはモノラルマイク２６からの入力音声は、メモリ４８内に記録されることとして説明したが、他にも、ＵＳＢ（Ｕｎｉｖｅｒｓａｌ  Ｓｅｒｉａｌ  Ｂｕｓ）や無線ネットワーク、赤外線などの種々の公知の通信技術を用いて、カメラから外の装置にこの音声データを送信するように構成しても良い。
【０１２４】
ここで、この音声データを送られる相手の装置としては、例えば、パーソナルコンピュータ（ＰＣ）や、ネットワークの基地局、サーバコンピュータなどが考えられ、さらには、プリンタと直接カメラを接続してプリンタ側で再生や記録をするようにしても良いし、その他の携帯型記録メディア（例えば、ハードディスクレコーダやＤＶＤレコーダなど）に送信することとしても良い。さらに、人工衛星に音声データを送信したり、他のカメラや携帯電話などにデータを送信するようにすることなども可能である。
【０１２５】
また、前記の処理において、アナログ音声信号からデジタル信号に変換するタイミングは、音声処理部５０に入力された後でなければならないというものではなく、例えば、ステレオマイク２５とモノラルマイク２６のミックス処理などをデジタル信号処理によって行うように構成すべく、より早い段階でＡＤ変換してしまうように構成することももちろん可能である。
【０１２６】
（第２の実施形態）
次に、本発明の第２の実施形態について説明する。
【０１２７】
前記第１の実施形態では、本体側にステレオマイク、撮像側にモノラルマイクを備えていたが、第２の実施形態では、本体側と撮像側にそれぞれモノラルマイクを備え、これらを撮像部１２の回転位置ＰＳに応じて切り替えて録音することを特徴とする。
【０１２８】
図８および図９に本発明の第２の実施形態におけるデジタルカメラの外観構成を示す。図８は正面側の構成、図９は裏面側の構成を示す図である。なお、前記第１の実施形態における図１および図２の構成と同じ部分には同一符号を付して、ここでは異なる点のみ説明する。
【０１２９】
図中の６１、６２はそれぞれモノラルマイクであり、一方のモノラルマイク６１は装置本体部１１の正面の上側、他方のモノラルマイク６２は撮像部１２の撮影レンズ設置面の上側に設けられている。また、この２つのモノラルマイク６１、６２は、撮像部１２が装置本体部１１の正面位置を向いた状態でステレオマイクとして機能するように、多少離間させて設置されており、それぞれの音声信号は図３に示す音声処理部５０に入力されるようになっている。
【０１３０】
以下に、第２の実施形態におけるデジタルカメラ１０の録音動作について詳しく説明する。
【０１３１】
前記第１の実施形態と同様に、撮影レンズ１４を有する撮像部１２が装置本体部１１の前後にそれぞれ１８０度回転可能であるものとする。図１０（ａ）、（ｂ）に撮像部１２の回転状態を示す。
【０１３２】
図１０（ａ）は撮像部１２の上部を裏面側に倒すようにして後方向に４５度ずつ回転させた場合の各回転位置の状態、図１０（ｂ）は撮像部１２の上部を正面側に倒すようにして前方向に−４５度ずつ回転させた場合の各回転位置の状態を示している。なお、Ｐ１〜Ｐ４、Ｑ１〜Ｑ４で示される回転位置は前記図４（ａ）、（ｂ）と同様である。
【０１３３】
撮像部１２が装置本体部１１の正面位置にあるとき、装置本体部１１側のモノラルマイク６１と撮像部１２側のモノラルマイク６２とが所定の間隔を開けて同一平面上に並設された状態にある（Ｐ１＝Ｑ１の状態）。この状態で、撮像部１２の回転に伴い、撮像部１２側のモノラルマイク６２が装置本体部１１側のモノラルマイク６１に離間し、そして、撮像部１２が装置本体部１１の裏面側にあるときには反対側に位置する（Ｐ５＝Ｑ５の状態）。
【０１３４】
図１１は第２の実施形態におけるデジタルカメラ１０の動画撮影時の処理動作を示すフローチャートである。なお、このフローチャートで示される各処理は、デジタルカメラ１０に搭載されたマイクロコンピュータである制御部４２がプログラムを読み込むことにより実行される。
【０１３５】
まず、操作者が図２に示したモードスイッチ１０の操作により動画モードを設定した状態で（ステップＢ１１）、シャッタキー９を押下すると（ステップＢ１２のＹｅｓ）、制御部３２はシャッタキー９が再度押下されるまでの間、動画の撮影処理を実行する（ステップＢ１３）。なお、このときの撮影処理の動作については図３で既に説明しているため、ここでは詳しい説明を省略するものとする。
【０１３６】
ここで、例えばメニューキー２０の操作などにより録音機能が設定されている場合において、制御部４２は、回転位置検出部５１により撮像部１２の回転位置を検出する（ステップＢ１４）。そして、制御部４２は、この検出した撮像部１２の回転位置に基づいて、装置本体部１１側のモノラルマイク６１と撮像部１２側のモノラルマイク６２を適宜切り替えて音声信号を入力するように音声処理部５０を制御する（ステップＢ１５）。この音声処理部５０に入力されたモノラルマイク６１またはモノラルマイク６２の音声信号は、デジタルデータに変換された後、メモリ４８内の所定の領域に記録（録音）される（ステップＢ１６）。
【０１３７】
この場合、図８に示すように、撮像部１２が装置本体部１１の正面位置にあるときには（つまり、通常撮影時）、モノラルマイク６１、６２の両方を用いてステレオ録音を行い、図９に示すように、撮像部１２が装置本体部１１の裏面位置にあるときには（つまり、「自分撮り」と呼ばれる対面撮影時）、モノラルマイク６２を用いてモノラル録音を行う。さらに、撮像部１２が装置本体部１１の正面位置と裏面位置との間にある場合には、撮影方向つまり装置本体部１１の撮影レンズ１４の向いている方向に合わせて集音特性が良好な方のマイクを使用する。
【０１３８】
具体的に説明すると、図１２のようになる。
【０１３９】
図１２は撮像部１２の回転位置ＰＳに対するモノラルマイク６１とモノラルマイク６２のＯＮ／ＯＦＦの切り替え動作を示したものである。実際には、このような切り替え動作がプログラムされているか、あるいは、テーブル化されて図示せぬＲＡＭなどに記憶され、制御部４２によって都度参照される。
【０１４０】
まず、撮像部１２がＰＳ＝Ｐ１であった場合、つまり、撮像部１２が装置本体部１１の正面位置にあった場合には、２つのモノラルマイク６１、６２の両方をＯＮする。これにより、モノラルマイク６１、６２を通じて音声信号が入力される。この入力された音声信号は音声処理部５０にてデジタルデータに変換された後、メモリ４８にステレオ録音される。
【０１４１】
また、図１０（ａ）に示すように、撮像部１２が後方に回転されて、Ｐ１＜ＰＳ＜Ｐ３の位置にあった場合、つまり、撮像部１２が装置本体部１１の正面位置とその正面位置から後方に９０度回転させた位置との間にあった場合にも、そのままモノラルマイク６１、６２の両方をＯＮすることにより、これらを通じて音声信号を入力し、これをデジタルデータに変換してメモリ４８にステレオ録音する。
【０１４２】
また、撮像部１２がさらに後方向に回転されて、Ｐ３≦ＰＳ＜Ｐ５の位置にあった場合、つまり、撮像部１２が９０度位置から１８０度位置との間にあった場合には、一方のモノラルマイク６１をＯＦＦ、他方のモノラルマイク６２をＯＮする。すなわち、撮像部１２が９０度以上傾けられた状態では、撮像部１２側のモノラルマイク６２のみを使用するように切り替える。これにより、モノラルマイク６２を通じて音声信号が入力され、その入力された音声信号が音声処理部５０にてデジタルデータに変換された後、メモリ４８にモノラル録音される。
【０１４３】
また、ＰＳ＝Ｐ５であった場合、つまり、撮像部１２が装置本体部１１の裏面位置にあった場合にも、一方のモノラルマイク６１をＯＦＦ、他方のモノラルマイク６２をＯＮすることにより、モノラルマイク６２を通じて音声信号を入力し、これをデジタルデータに変換してメモリ４８にモノラル録音する。
【０１４４】
なお、図１０（ｂ）に示すように、撮像部１２を装置本体部１１の前方に回転させた場合についても同様であり、そのときの回転位置ＰＳに応じてモノラルマイク６１とモノラルマイク６２を切り替えて録音する。
【０１４５】
すなわち、撮像部１２がＰＳ＝Ｑ１（正面位置）の場合や、Ｑ１＜ＰＳ＜Ｑ３（正面位置と−９０度位置との間）の場合には、モノラルマイク６１、６２の両方をＯＮすることにより、これらを通じて音声信号を入力し、これをデジタルデータに変換してメモリ４８にステレオ録音する。
【０１４６】
また、撮像部１２がＱ３≦ＰＳ＜Ｑ５（−９０度位置と裏面位置との間）の場合やＰＳ＝Ｑ５（裏面位置）の場合には、一方のモノラルマイク６１をＯＦＦ、他方のモノラルマイク６２をＯＮすることにより、モノラルマイク６２を通じて音声信号を入力し、これをデジタルデータに変換してメモリ４８にモノラル録音する。
【０１４７】
以後同様にして、動画撮影時の回転位置ＰＳの位置に応じて装置本体部１１側のステレオマイク２５と撮像部１２側のモノラルマイク２６が適宜切り替えられて録音処理が行われることになる。そして、例えばシャッタキー１６が再押下されるなど、動画撮影の終了が明示的に指示されると（ステップＢ１７のＹｅｓ）、ここでの処理が終了する。
【０１４８】
このように、装置本体部１１と撮像部１２にそれぞれモノラルマイク６１、６２を設けておくことで、撮像部１２が装置本体部１１の正面位置に近い場合には両方のモノラルマイク６１、６２を用いてステレオ形式での録音が可能となる。この場合、装置本体部１１側のモノラルマイク６１と撮像部１２側のモノラルマイク６２を離して設置しておくことで、通常のステレオマイクのように左右のマイクが一体になっているものに比べて、よりダイナミックなステレオ録音を行うことができる。
【０１４９】
また、撮像部１２を傾けて撮影する場合など、装置本体部１１の正面位置から遠い場合には、撮像部１２側のモノラルマイク６２のみを用いることで、撮影方向の集音特性を良好にした音声を得ることができる。
【０１５０】
なお、前記第２の実施形態では、撮像部１２を装置本体部１１の正面位置から前後方向に９０度以上傾けたときにモノラルマイク６１、６２によるステレオ録音からモノラルマイク６２だけのモノラル録音への切り替えを行うようにしたが、もっと裏面に近い位置、例えば１３５度付近（Ｐ４またはＱ４の回転位置）でモノラルマイク６２だけのモノラル録音に切り替えるようにしても良い。
【０１５１】
また、このようなマイクの切り替えタイミングは予め固定的に決められていても良いし、ユーザがメニューキー２０の操作により表示される図示せぬ設定画面等を通じて任意に設定できるようにしても良い。
【０１５２】
また、２つのモノラルマイク６１、６２の各音声信号をミックスして入力し、そのときのミックス比を撮像部１２の回転位置ＰＳに応じて変更するような構成も可能である。図１３にその具体例を示す。
【０１５３】
図１３の例では、ＰＳ＝Ｐ１であった場合、つまり、図１０（ａ）に示すように、撮像部１２が装置本体部１１の正面位置にあった場合には、モノラルマイク６１、６２の両方を使用して録音する。この場合、メモリ４８に録音される音声信号の右信号をＯＵＴ（Ｒ）、左信号をＯＵＴ（Ｌ）とすると、
ＯＵＴ（Ｒ）＝１／２・モノラルマイク（Ｒ）
ＯＵＴ（Ｌ）＝１／２・モノラルマイク（Ｌ）
となる。なお、モノラルマイク（Ｒ）は装置本体部１１側に設置された右側のモノラルマイク６１の信号、モノラルマイク（Ｌ）は装置本体部１１側に設置された左側のモノラルマイク６１の信号を表している。
【０１５４】
また、Ｐ１＜ＰＳ＜Ｐ３であった場合、つまり、図１０（ａ）に示すように、撮像部１２が装置本体部１１の正面位置とその正面位置から後方に９０度回転させた位置との間にあった場合には、モノラルマイク６１の入力レベルをモノラルマイク６２の入力レベルよりも高くして３：１で録音する。この場合には、
ＯＵＴ（Ｒ）＝３／４・モノラルマイク（Ｒ）
ＯＵＴ（Ｌ）＝１／４・モノラルマイク（Ｌ）
となる。
【０１５５】
また、Ｐ３≦ＰＳ＜Ｐ５であった場合、つまり、図１０（ａ）に示すように、撮像部１２が９０度位置から１８０度位置との間にあった場合には、モノラルマイク６１の入力レベルをモノラルマイク６２の入力レベルよりも低くして１：３で録音する。この場合には、
ＯＵＴ（Ｒ）＝１／４・モノラルマイク（Ｒ）
ＯＵＴ（Ｌ）＝３／４・モノラルマイク（Ｌ）
となる。
【０１５６】
また、ＰＳ＝Ｐ５であった場合、つまり、図１０（ａ）に示すように、撮像部１２が装置本体部１１の裏面位置にあった場合には、モノラルマイク６２のみを使用して録音する。この場合には、
ＯＵＴ（Ｒ）＝０
ＯＵＴ（Ｌ）＝モノラルマイク（Ｌ）
となる。
【０１５７】
また、図１０（ｂ）に示すように、撮像部１２を前方に回転させた場合についても同様であり、撮像部１２の回転位置ＰＳに応じてモノラルマイク６１とモノラルマイク６２の各音声信号がミックスされて録音される。
【０１５８】
さらに、このようなモノラルマイク６１とモノラルマイク６２のミックス比は予め固定的に決められていても良いし、ユーザがメニューキー２０の操作により表示される図示せぬ設定画面等を通じて任意に設定できるようにしても良い。
【０１５９】
また、モノラルマイク６１とモノラルマイク６２の各音声信号をミックスする場合に、前記の例のように撮像部１２の回転位置ＰＳに応じて段階的に変更する方法の他に、撮像部１２の回転位置ＰＳに応じて連続的に変更することでも良い。
【０１６０】
また、回転位置ＰＳの値が所定の範囲内にあるときには、ステレオマイク２５とモノラルマイク２６の一方からの入力音声信号を遮断し、他方の入力音声信号のみを得るような制御を行わせることとしても良い。
【０１６１】
また、上記の実施例では、制御部４２によって選択あるいはミックスされた、ステレオマイク２５ないしモノラルマイク２６からの入力音声は、メモリ４８内に記録されることとして説明したが、他にも、ＵＳＢや無線ネットワーク、赤外線などの種々の公知の通信技術を用いて、カメラから外の装置にこの音声データを送信するように構成しても良い。
【０１６２】
ここで、この音声データを送られる相手の装置としては、例えば、パーソナルコンピュータ（ＰＣ）や、ネットワークの基地局、サーバコンピュータなどが考えられ、さらには、プリンタと直接カメラを接続してプリンタ側で再生や記録をするようにしても良いし、その他の携帯型記録メディア（例えば、ハードディスクレコーダやＤＶＤレコーダなど）に送信することとしても良い。さらに、人工衛星に音声データを送信したり、他のカメラや携帯電話などにデータを送信するようにすることなども可能である。
【０１６３】
また、前記の処理で、アナログ音声信号からデジタル信号に変換するタイミングは、実施例のように音声処理部５０に入力された後でなければならないというものではなく、例えば、ステレオマイク２５とモノラルマイク２６のミックス処理などをデジタル信号処理によって行うように構成すべく、より早い段階でＡＤ変換してしまうように構成することももちろん可能である。
【０１６４】
なお、前記第１および第２の実施形態では、動画撮影時に録音を行う場合を想定して説明したが、静止画の撮影時に録音を行う場合、あるいは、録音だけを行う場合でも同様である。
【０１６５】
また、図６や図１２に示したような各マイクの切り替え処理、さらに、図７や図１３に示したような各マイクの音声信号のミックス処理を可変抵抗等からなるアナログ回路を用いて行うことも可能である。
【０１６６】
また、本発明はデジタルカメラに限らず、例えばカメラ付きの携帯電話やＰＤＡ（Personal Digital Assistant）など、カメラを備えると共にそのカメラの向きを自由に動かせるものであれば、その全てに適用することができる。
【０１６７】
また、上述した各実施例では、ステレオマイクやモノラルマイクを用いた実施例を説明したが、他の音声入力手段で本発明を実施することはもちろん可能であるし、さらに、例えば今後の技術進歩によって他の方式の音声入力手段が用いられるようになった場合であっても本発明を適用することが可能である。
【０１６８】
要するに、本発明は前記各実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【０１６９】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１７０】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１７１】
【図１】本発明の第１の実施形態に係る撮像装置としてデジタルカメラを例にした場合の正面側の外観構成を示す図。
【図２】本発明の第１の実施形態におけるデジタルカメラの裏面側の外観構成を示す図。
【図３】本発明の第１の実施形態におけるデジタルカメラの電子回路構成を示すブロック図。
【図４】本発明の第１の実施形態におけるデジタルカメラの撮像部の回転状態を示す図であり、図４（ａ）は撮像部の上部を装置本体部の裏面側に倒すようにして後方向に４５度ずつ回転させた場合の各回転位置の状態、同図（ｂ）は撮像部の上部を装置本体部の正面側に倒すようにして前方向に４５度ずつ回転させた場合の各回転位置の状態を示す図。
【図５】本発明の第１の実施形態におけるデジタルカメラの動画撮影時の処理動作を示すフローチャート。
【図６】本発明の第１の実施形態におけるデジタルカメラの撮像部の回転位置に対するステレオマイクとモノラルマイクの切り替え動作を説明するための図。
【図７】本発明の第１の実施形態におけるデジタルカメラの撮像部の回転位置に対するステレオマイクとモノラルマイクの各音声信号をミックスして入力する場合の一例を示す図。
【図８】本発明の第２の実施形態に係る撮像装置としてデジタルカメラを例にした場合の正面側の外観構成を示す図。
【図９】本発明の第２の実施形態におけるデジタルカメラの裏面側の外観構成を示す図。
【図１０】本発明の第２の実施形態におけるデジタルカメラの撮像部の回転状態を示す図であり、図１０（ａ）は撮像部の上部を装置本体部の裏面側に倒すようにして後方向に４５度ずつ回転させた場合の各回転位置の状態、同図（ｂ）は撮像部の上部を装置本体部の正面側に倒すようにして前方向に４５度ずつ回転させた場合の各回転位置の状態を示す図。
【図１１】本発明の第２の実施形態におけるデジタルカメラの動画撮影時の処理動作を示すフローチャート。
【図１２】本発明の第２の実施形態におけるデジタルカメラの撮像部の回転位置に対する２つのモノラルマイクの切り替え動作を説明するための図。
【図１３】本発明の第２の実施形態におけるデジタルカメラの撮像部の回転位置に対する２つのモノラルマイクの各音声信号をミックスして入力する場合の一例を示す図。
【符号の説明】
【０１７２】
１０…デジタルカメラ、１１…装置本体部、１２…撮像部、１３…回転機構、１４…撮影レンズ、１５…電源キー、１６…シャッタキー、１７…光学ファインダ窓、１８…ラバーグリップ、１９…モードスイッチ、２０…メニューキー、２１…十字キー、２２…セットキー、２３…光学ファインダ、２４…表示部、２５…ステレオマイク、２６…モノラルマイク、２７…スピーカ、３１…モータ、３２…レンズ光学系、３３…ＣＣＤ、３４…タイミング発生器（ＴＧ）、３５…ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…キー入力部、４７…画像処理部、４８…メモリ、４９…ＵＳＢインタフェース（Ｉ／Ｆ）、５０…音声処理部、５１…回転位置検出部、６１…モノラルマイク、６２…モノラルマイク。
【図１】
2005286718.tif 000003
【図２】
2005286718.tif 000004
【図３】
2005286718.tif 000005
【図４】
2005286718.tif 000006
【図５】
2005286718.tif 000007
【図６】
2005286718.tif 000008
【図７】
2005286718.tif 000009
【図８】
2005286718.tif 000010
【図９】
2005286718.tif 000011
【図１０】
2005286718.tif 000012
【図１１】
2005286718.tif 000013
【図１２】
2005286718.tif 000014
【図１３】
2005286718.tif 000015